(57)【要約】【課題】  情報誌６の参照と投票カード２の記入を同時に行えるようにして、投票者の利便性を高めることができるカード用下敷き１を提供する。【解決手段】  本発明は、マークシート方式の投票カード２の記入に用いるカード用下敷き１に関する。カード用下敷き１は、幅方向に曲率を有しかつ縦方向に曲率を有しない正面側が凹んだ湾曲面よりなるカード当接面５が形成されたプレート本体３を有する。カード当接面５の曲率半径は、投票の参考にする情報誌６をカード当接面５に沿って当接させた場合に、当該情報誌６を立てた状態に保持できる寸法に設定されている。【選択図】図１
2016078426.tif 000002
【特許請求の範囲】
【請求項１】
マークシート方式の投票カードの記入に用いるカード用下敷きであって、
幅方向に曲率を有しかつ縦方向に曲率を有しない正面側が凹んだ湾曲面よりなるカード当接面が形成されたプレート本体を有しており、
前記カード当接面の曲率半径は、投票の参考にする情報誌を前記カード当接面に沿って当接させた場合に、当該情報誌を立てた状態に保持できる寸法に設定されていることを特徴とするカード用下敷き。
【請求項２】
前記プレート本体の下縁部に、前記カード当接面に重ね合わせた前記情報誌と前記投票カードの双方の下端縁を当接させることができるリブ部が設けられている請求項１に記載のカード用下敷き。
【請求項３】
前記プレート本体の下縁部に、前記カード当接面に重ね合わせた前記情報誌と前記投票カードの双方の下縁部を挟み込むことができる挟持部が設けられている請求項１又は２に記載のカード用下敷き。
【請求項４】
前記カード当接面の曲率半径は、２００〜３００ｍｍの範囲、好ましくは２２０〜２８０ｍｍの範囲、より好ましくは２４０〜２６０ｍｍの範囲、更に好ましくは約２５０ｍｍに設定されている請求項１〜３のいずれか１項に記載のカード用下敷き。
【請求項５】
前記プレート本体の背面側に、前記投票カードの積層束を収容可能な収容ケースが設けられている請求項１〜４のいずれか１項に記載のカード用下敷き。
【請求項６】
前記収容ケースは、前記投票カードを横方向から出し入れするための開口部を有する請求項５に記載のカード用下敷き。
【請求項７】
前記収容ケースに収容された前記投票カードの縁部に当接して当該投票カードの飛び出しを防止するストッパー片が、前記開口部に設けられている請求項６に記載のカード用下敷き。
【発明の詳細な説明】
【技術分野】
【０００１】  本発明は、マークシート方式の投票カードの記入に用いるカード用下敷きに関する。
より具体的には、投票者が投票カードを情報誌と一緒に保持できるようにして、投票者の利便性を高めたカード用下敷きに関する。
【背景技術】
【０００２】  従来、公営ギャンブルの投票に用いる勝馬投票券などの投票カードには、コンピュータによる集計処理が可能となるように、マークシート方式の投票カードが使用されている。
マークシート方式の投票カードは、マーク箇所が小さくて数が多いことから、正確にマーキングするためには投票カードをテーブルに乗せて記入することが好ましい。従って、公営ギャンブルの投票券売り場などの施設には、投票カードの記入に用いる記入用テーブルが設置されているが、その数が足りないのが現状である。【０００３】  このため、多くの投票者は、施設内の壁や柱などに投票カードを押し当てたり、雑誌などの所持品を下敷きにしたりして投票カードへの記入を行っており、その記入に非常に手間を要している。
そこで、１又は複数枚の投票カードを収容可能なカードホルダーに下敷き機能を付加することにより、投票カードの記入の利便性を高めたカードホルダーが既に開発されている（例えば、特許文献１及び２参照）。
【先行技術文献】
【特許文献】
【０００４】
【特許文献１】  実用新案登録第３０２５４６６号公報
【特許文献２】  実用新案登録第３０３９６０３号公報
【発明の概要】
【発明が解決しようとする課題】
【０００５】  公営ギャンブルの投票に参加する投票者は、公営ギャンブルの勝利に役立つ予想情報が掲載された情報誌（例えば、競馬新聞）を参照しつつ、最終的に投票番号を決定するのが通常である。
しかし、特許文献１及び２に記載のカードホルダーでは、投票カードの下敷き機能しか有していないので、投票者は、情報誌をいったん小脇に抱えないと投票カードの記入を行うことしかできず、情報誌の参照と投票カードの記入を同時に行うことができない。【０００６】  そこで、本発明は、情報誌の参照と投票カードの記入を同時に行えるようにして、投票者の利便性を高めることができるカード用下敷きを提供することを目的とする。
【課題を解決するための手段】
【０００７】  本発明のカード用下敷きは、マークシート方式の投票カードの記入に用いるカード用下敷きであって、幅方向に曲率を有しかつ縦方向に曲率を有しない正面側が凹んだ湾曲面よりなるカード当接面が形成されたプレート本体を有しており、前記カード当接面の曲率半径は、投票の参考にする情報誌を前記カード当接面に沿って当接させた場合に、当該情報誌を立てた状態に保持できる寸法に設定されていることを特徴とする。【０００８】  本発明のカード用下敷きによれば、カード当接面の曲率半径が、投票の参考にする情報誌をカード当接面に沿って当接させた場合に、当該情報誌を立てた状態に保持できる寸法に設定されているので、カード当接面に情報誌を当接させてその上に投票カードを重ねることにより、情報誌の参照と投票カードの記入を同時に行うことができる。
このため、投票カードの下敷き機能しか有しないため上記の同時作業が困難である従来のカードホルダーに比べて、投票者の利便性を高めることができる。【０００９】  本発明のカード用下敷きにおいて、前記プレート本体の下縁部に、前記カード当接面に重ね合わせた前記情報誌と前記投票カードの双方の下端縁を当接させることができるリブ部を設けることが好ましい。
この場合、情報誌と投票カードの双方の下端縁をリブ部に当接させることにより、両者の下端縁を揃えることができるので、情報誌の参照と投票カードの記入の同時作業が行い易くなる。【００１０】  本発明のカード用下敷きにおいて、前記プレート本体の下縁部に、前記カード当接面に重ね合わせた前記情報誌と前記投票カードの双方の下縁部を挟み込むことができる挟持部を設けることが好ましい。
この場合、情報誌と投票カードの双方の下端縁を挟持部に挟み込むことにより、両者の下端縁を揃えた状態に保持することができるので、情報誌の参照と投票カードの記入の同時作業が行い易くなる。【００１１】  本発明のカード用下敷きにおいて、前記カード当接面の前記曲率半径は、２００〜３００ｍｍの範囲、好ましくは２２０〜２８０ｍｍの範囲、より好ましくは２４０〜２６０ｍｍの範囲、更に好ましくは約２５０ｍｍに設定されていることが好ましい。
カード用当接面の曲率半径を上記の数値範囲又は寸法に設定すれば、公営ギャンブルの情報誌に常用されているＡ３サイズの紙面を、縦向きの状態で適切に保持することができる。【００１２】  本発明のカード用下敷きにおいて、前記プレート本体の背面側に、前記投票カードの積層束を収容可能な収容ケースを設けることにすれば、本発明のカード用下敷きをカードホルダーとして兼用することができ、投票者の利便性をより高めることができる。【００１３】  本発明のカード用下敷きにおいて、前記収容ケースは、前記投票カードを横方向から出し入れするための開口部を有することが好ましい。
この場合、開口部から投票カードを横方向から出し入れできるので、カード当接面に当接させた情報誌と干渉することなく投票カードを出し入れすることができる。このため、投票カードの交換を行い易くなる。【００１４】  本発明のカード用下敷きにおいて、前記収容ケースに収容された前記投票カードの縁部に当接して当該投票カードの飛び出しを防止するストッパー片を、前記開口部に設けることにすれば、投票カードが開口部から不意に飛び出すことによって投票者の投票行動に支障が生じるのを未然に防止することができる。
【発明の効果】
【００１５】  以上の通り、本発明のカード用下敷きによれば、情報誌の参照と投票カードの記入を同時に行えるので、投票者の利便性をより高めることができる。
【図面の簡単な説明】
【００１６】
【図１】  本発明の実施形態に係るカード用下敷きを正面側から見た斜視図である。
【図２】  本発明の実施形態に係るカード用下敷きを背面側から見た斜視図である。
【図３】  投票カードのみが装着されたカード用下敷きの斜視図である。
【図４】  （ａ）は、情報誌と投票カードの双方が装着されたカード用下敷きを正面側から見た斜視図であり、（ｂ）は、そのカード用下敷きを背面側から見た斜視図である。
【発明を実施するための形態】
【００１７】  以下、図面を参照しつつ、本発明の実施形態を説明する。
〔カード用下敷きの構造〕
図１は、本発明の実施形態に係るカード用下敷き１を正面側から見た斜視図であり、図２は、カード用下敷き１を背面側から見た斜視図である。
図１及び図２に示すように、本実施形態のカード用下敷き１は、マークシート方式の投票カード２（図３参照）の記入に用いるカード用下敷きである。
【００１８】  投票カード２は、例えば勝馬投票券よりなる。カード用下敷き１は、硬質プラスチック製の成形品よりなり、正面側のプレート本体３と、プレート本体３の背面側に形成された収容ケース４とを備えている。
プレート本体３は、幅寸法が縦寸法より大きい横長のほぼ長方形板よりなる。プレート本体３の幅寸法及び縦寸法は、投票カード２（図３参照）のそれらの寸法よりも若干大きい寸法に設定されている。
【００１９】  プレート本体３と収容ケース４は、正面側が凹んだ状態に湾曲している。投票カード２の下敷き面となるプレート本体３の正面は、幅方向に曲率を有しかつ縦方向に曲率を有しない、正面側が凹んだ湾曲面よりなるカード当接面５となっている。
具体的には、カード当接面５の曲率半径は、投票の参考にする情報誌６（例えば、競馬新聞：図４参照）の下端部をカード当接面５に沿って当接させた場合に、当該情報誌６を立てた状態に保持できる寸法に設定されている。
【００２０】  プレート本体３の下縁部には、リブ部１１が一体に形成されている。リブ部１１は、カード当接面５の下縁部から正面側に突出している。リブ部１１は、カード当接面５の幅方向に沿って延設されている。
リブ部１１のリブ高さは、カード当接面５に重ね合わせた情報誌６と投票カード２の双方の下端縁を当接させることができる程度の寸法（例えば、３〜６ｍｍ程度）に設定されている。
【００２１】  プレート本体３の下縁部には、挟持部１２が設けられている。挟持部１２は、プレート本体３の表裏方向に弾性変形可能な板片よりなる。挟持部１２は、プレート本体３の下縁部の幅方向中央部を正面側に切り起こすことにより構成されている。
挟持部１２の下端部はリブ部１１に繋がっており、上端部はほぼ半円形の自由端となっている。挟持部１２には、正面側が凹でかつ背面側が凸の凹み部１３が形成されている。凹み部１３の背面側の凸面は投票カード２に対する接触圧を和らげる機能を有する。
【００２２】  挟持部１２は、カード当接面５から所定寸法の隙間が空いた状態で、プレート本体３の下縁部から片持ち状に取り付けられている。挟持部１２とカード当接面５の間の隙間は、カード当接面５に重ね合わせた情報誌６と投票カード２の双方の下縁部を挟み込むことができる程度の寸法（例えば、３〜６ｍｍ程度）に設定されている。
なお、プレート本体３の下縁の中央には、ストラップを結びつけるためのリング部２２が突設されている。
【００２３】  図２に示すように、収容ケース４は、プレート本体３の背面の上縁部、下縁部及び左縁部から一体に突出する側壁部１４と、側壁部１４の背面端に一体に接続された背面プレート１５とを有する。
収容ケース４の側壁部１４及び背面プレート１５は、プレート本体３と同様に湾曲している。また、収容ケース４の右縁部は、投票カード２を幅方向に沿って出し入れするための開口部１６となっている。
【００２４】  プレート本体３と背面プレート１５の間の間隔（収容ケース４の内部空間の厚さ寸法）は、所定枚数の投票カード２の積層束１７（例えば、２０枚程度）を収容可能な寸法に設定されている。
このため、図２に示すように、収容ケース４の開口部１６に挿入した投票カード２の積層束１７を幅方向に沿ってスライドさせることにより、積層束１７を収容ケース４に対して出し入れすることができる。
【００２５】  背面プレート１５の中央部には、背面プレート１５を表裏方向に貫通する取り出しスリット１８が形成されている。取り出しスリット１８は、指先よりも若干大きいスリット幅を有する、背面プレート１５の幅方向に長い長孔よりなる。
このため、収容ケース４に収容された積層束１７のうち、最も背面側に位置する投票カード２に取り出しスリット１８から指先を接触させ、当該投票カード２を右側にスライドさせることにより、１枚の投票カード２を開口部１６から取り出すことができる。
【００２６】  収容ケース４の開口部１６には、ストッパー片１９が設けられている。ストッパー片１９は、背面プレート１５の右縁部を切り起こした板片よりなる。ストッパー片１９は、表裏方向に弾性変形であり、ヘッド部２０を先端部に有する。
ストッパー片１９のヘッド部２０は、収容ケース４に収容された投票カード２の縁部に当接し、投票カード２が開口部１６から飛び出すのを防止する。また、ヘッド部２０は、筆記具２１（図４参照）を情報誌６との間に挟んで保持する保持凹部を有する。
【００２７】  〔カード当接面の曲率半径〕
公営ギャンブルの勝利に役立つ予想情報が掲載された、例えば競馬新聞などの情報誌６の紙面サイズは、Ａ３サイズであることが多い。
そこで、投票カード２とほぼ同じ大きさのプレート本体３のカード当接面５に、情報誌６の下端部分を当接させた場合に、カード当接面５の曲率半径がどの程度であれば、情報誌６を立てた状態に保持できるかを実験により確かめた。
【００２８】  その実験の結果、カード当接面５が円筒面である場合、円筒面の曲率半径が概ね３００ｍｍ以内であれば、縦向きの情報誌６を立てた状態（図４の状態）に保持できることが判明した。
一方、情報誌６を立てた状態に適切に保持することのみに着目すると、円筒面の曲率半径は小さいほど好ましい。しかし、円筒面の曲率半径が概ね２００ｍｍを下回ると、投票カード２に対する記入が行い難くなることが判明した。
【００２９】  そして、円筒面の曲率半径が２５０ｍｍ程度である場合に、情報誌６を立てた状態に保持することと、投票カード２に対する記入の行い易さの確保とが、最も好適に両立することが判明した。
以上から、カード当接面５の曲率半径は、２００〜３００ｍｍの範囲に設定することが好ましい。また、曲率半径は、２２０〜２８０ｍｍの範囲がより好適であり、２４０〜２６０ｍｍの範囲がより好適であり、約２５０ｍｍが最適である。
【００３０】  なお、本実施形態のカード用下敷き１では、プレート本体３の円筒面よりなるカード当接面５の曲率半径は、２４７．５０ｍｍに設定されている。
もっとも、カード当接面５は必ずしも曲率半径が一定である完全な円筒面でなくてもよく、幅方向位置に応じて曲率半径が微妙に変化する、例えば楕円の円筒面であってもよい。ただし、楕円の円筒面を採用する場合であっても、曲率半径の寸法は上記のいずれかの数値範囲内に設定されていることが好ましい。
【００３１】  〔カード用下敷きの使用方法〕
図３は、投票カード２のみが装着されたカード用下敷き１の斜視図である。
図３に示すように、カード用下敷き１に投票カード２のみを装着する場合には、投票カード２の下縁部がリブ部１１に当接するように、投票カード２をカード当接面５にセットし、挟持部１２を左手の親指で押さえればよい。
【００３２】  すると、投票カード２がカード用下敷き１に保持されるので、右手で投票カード２の所定箇所にマーキングを行って、所望の投票番号を記入すればよい。
このように、本実施形態のカード用下敷き１によれば、投票カード２を単体でカード当接面５に保持できるので、テーブルがなくても、投票カード２に対する記入を行うことができる。
【００３３】  図４（ａ）は、情報誌６と投票カード２の双方が装着されたカード用下敷き１を正面側から見た斜視図である。図４（ｂ）は、それらの双方が装着されたカード用下敷き１を背面側から見た斜視図である。
図４に示すように、カード用下敷き１に情報誌６を同時に装着する場合には、情報誌６の紙面に投票カード２を乗せ、双方の下縁部がリブ部１１に当接するようにそれらをカード当接面５にセットし、この状態で挟持部１２を左手の親指で押さえればよい。
【００３４】  すると、カード当接面５の湾曲形状に沿って情報誌６が幅方向に湾曲するので、情報誌６が縦向きで立てた状態にカード用下敷き１に保持され、この情報誌６の下端部に重ね合わせた状態で、投票カード２がカード用下敷き１に保持されることになる。
このように、本実施形態のカード用下敷き１によれば、投票カード２を情報誌６と一緒にカード当接面５に保持できるので、テーブルがなくても、情報誌６を見ながら投票カード２に対する記入を行うことができる。
【００３５】  〔カード用下敷きの効果〕
本実施形態のカード用下敷き１によれば、カード当接面５の曲率半径が、投票の参考にする情報誌６をカード当接面５に沿って当接させた場合に、当該情報誌６を立てた状態に保持できる寸法に設定されている。
【００３６】  従って、カード当接面５に情報誌６を当接させてその上に投票カード２を重ねることにより（図４参照）、情報誌６の参照と投票カード２の記入を同時に行うことができる。
このため、投票カード２の下敷き機能しか有しないため上記の同時作業が困難である従来のカードホルダーに比べて、投票者の利便性を高めることができる。
【００３７】  本実施形態のカード用下敷き１によれば、情報誌６と投票カード２の双方の下端縁をリブ部１１に当接できるので（図４参照）、下端縁を揃えて両者をカード用下敷き１に保持することができる。このため、情報誌６の参照と投票カード２の記入の同時作業が行い易いという利点がある。
【００３８】  本実施形態のカード用下敷き１によれば、情報誌６と投票カード２の双方の下端縁を挟持部１２に挟み込むことができるので（図４参照）、下端縁を揃えて両者をカード用下敷き１に保持することができる。このため、情報誌６の参照と投票カード２の記入の同時作業が行いという利点がある。
【００３９】  本実施形態のカード用下敷き１によれば、カード当接面５を円筒面とする場合に、その曲率半径が上述の数値範囲に設定されているので、公営ギャンブルの情報誌に常用されるＡ３サイズの紙面を、縦向きの状態で適切に保持することができる（図４参照）。
本実施形態のカード用下敷き１によれば、プレート本体３の背面側に、投票カード２の積層束１７を収容可能な収容ケース４を有するので、カードホルダーとして兼用することができ、投票者の利便性をより高めることができる。
【００４０】  本実施形態のカード用下敷き１によれば、収容ケース４の幅方向一端部に設けた開口部１６から投票カード２を横方向から出し入れできるので、カード当接面５に当接させた情報誌６と干渉することなく、投票カード２を出し入れすることができる。このため、投票者による投票カード２の交換が行い易くなる。
【００４１】  本実施形態のカード用下敷き１によれば、投票カード２の飛び出しを防止するストッパー片１９が収容ケース４の開口部１６に設けられているので、投票カード２が開口部１６から不意に飛び出すことがない。このため、投票者の投票行動に支障が生じるのを未然に防止することができる。
【００４２】  〔変形例〕
上述の実施形態では、公営ギャンブルが「競馬」の場合を想定し、投票カード２が「勝馬投票券」であり、情報誌６が「競馬新聞」であると仮定したが、本発明のカード用下敷き１は、「競輪」又は「競艇」などのその他の公営ギャンブルの投票カード及び情報誌の場合にも同様に適用することができる。
【符号の説明】
【００４３】１：カード用下敷き    ２：投票カード    ３：プレート本体    ４：収容ケース
５：カード当接面      ６：情報誌    １１：リブ部    １２：挟持部
１３：凹み部    １４：側壁部    １５：背面プレート    １６：開口部
１７：積層束    １８：スリット    １９：ストッパー片    ２０：ヘッド部
２１：筆記具    ２２：リング部
【図１】
2016078426.tif 000003
【図２】
2016078426.tif 000004
【図３】
2016078426.tif 000005
【図４】
2016078426.tif 000006